(57)【要約】【課題】本発明は、変圧器に関する。【解決手段】変圧器は、・電磁誘導によって相互に結合された一次巻線および二次巻線を有する本体と、・第１のヒューズを介して二次巻線に電気的に接続された測定装置と、・コイルと、常開接点を備える少なくとも１つの極とを有するリレーと、を含み、少なくとも１つの極は、コイルを励磁することによって投入され、コイルは、一次巻線に直列に配置されており、極が投入されたときに第１のヒューズを短絡させるために、常開接点を備える少なくとも１つの極は、第１のヒューズを介して二次巻線の間に配置されている。【選択図】図１
2019110294.tif 000002
【特許請求の範囲】
【請求項１】
変圧器（１；２０）であって、
・電磁誘導によって相互に結合された一次巻線（２）および二次巻線（３）を有する本体と、
・第１のヒューズ（１１）を介して前記二次巻線（３）に電気的に接続された測定装置（１０）と、
を含む変圧器（１；２０）において、
コイル（５）と、常開接点（７，８）を備える少なくとも１つの極（６）と、を有するリレー（４）が設けられており、
前記少なくとも１つの極（６）は、前記コイル（５）を励磁することによって投入され、
前記コイル（５）は、前記一次巻線（２）に直列に配置されており、
前記極（６）が投入されたときに前記第１のヒューズ（１１）を短絡させるために、前記常開接点（７，８）を備える前記少なくとも１つの極（６）は、前記第１のヒューズ（１１）を介して前記二次巻線（３）の間に配置されている
ことを特徴とする変圧器（１；２０）。
【請求項２】
前記リレー（４）の前記コイル（５）に並列に配置された第２のヒューズ（２１）をさらに含む、
請求項１記載の変圧器（２０）。
【請求項３】
前記リレー（４）の前記コイル（５）は、一方の端部が接地するように電気的に配置されており、他方の端部が前記一次巻線（２）に電気的に配置されている、
請求項１または２記載の変圧器（１；２０）。
【請求項４】
前記二次巻線（３）の一方の端部は、接地するように電気的に配置されており、
前記二次巻線（３）の他方の端部は、前記第１のヒューズ（１１）に電気的に配置されている、
請求項３記載の変圧器（１；２０）。
【請求項５】
前記第１のヒューズ（１１）と前記リレー（４）の前記少なくとも１つの極（６）との間に直列に配置されたインピーダンス（２２）、例えば抵抗器をさらに含む、
請求項１から４までのいずれか１項記載の変圧器（２０）。
【発明の詳細な説明】
【技術分野】
【０００１】
本発明は、変圧器であって、
・電磁誘導によって相互に結合された一次巻線および二次巻線を有する本体と、
・第１のヒューズを介して二次巻線に電気的に接続された測定装置と、
を含む、変圧器に関する。
【背景技術】
【０００２】
変圧器は、典型的には、電気の輸送に使用される高電圧を家庭および工場で使用される電化製品に適した低電圧に、例えば２３０Ｖまたは４００Ｖに低下または降圧するために使用されるか、あるいは、測定装置の取り扱いに適した、例えば１１０、１１０√３、または１００Ｖ（変圧比は定格一次電圧に基づく）の二次出力電圧を有する測定変圧器として使用される。
【０００３】
例えばエネルギの測定に必要とされるように、二次電圧が、特定の負荷範囲に対する一次電圧を正確に表すものでなければならない場合には、巻線を含む、二次回路のインピーダンスは、測定装置の負荷の範囲内で測定ができるだけ正確であることを可能にするためにできるだけ低く抑えられなければならない。
【０００４】
典型的に、二次巻線には、高い過電流に対して低いインピーダンスのヒューズも設けられており（例えば短絡保護として）、この場合、ヒューズが反応しない過電流では、二次巻線が故障してしまうであろう。たとえ電流がさほど増加しなくても、変圧器の温度が増加し過ぎて変圧器の故障を引き起こす可能性もある。ヒューズのこの低いインピーダンスは、かなり高い遮断値を示唆しており、したがって、変圧器を損傷し得るがヒューズによって遮断することができないような、高過ぎる過電流の領域が存在することが多い。
【０００５】
米国特許出願公開第２００４０８０８７８号明細書（US 2004080878）は、二次回路における電流が閾値を超過したかどうかを判定する回路制御ロジックを一次巻線に接続している変圧器を開示している。超過している場合には、二次回路を保護するために一次巻線における電流が回路制御ロジックによって遮断される。
【０００６】
しかしながら、一次巻線に高電圧で接続されている変圧器の場合には、制御ロジックを絶縁する必要があり、さもなければ制御ロジックが損傷することになる。さらに、制御ロジックは変圧器を複雑にし、製造コストを増加させる。
【発明の概要】
【発明が解決しようとする課題】
【０００７】
本発明の課題は、上述した欠点を軽減するか、またはそれどころか除去することである。
【課題を解決するための手段】
【０００８】
上記の課題は、上位概念に記載の変圧器において、コイルと、常開接点を備える少なくとも１つの極とを有するリレーが設けられており、少なくとも１つの極は、コイルを励磁することによって投入され、コイルは、一次巻線に直列に配置されており、極が投入されたときに第１のヒューズを短絡させるために、常開接点を備える少なくとも１つの極は、第１のヒューズを介して二次巻線の間に配置されていることを特徴とする、変圧器によって解決される。
【０００９】
本発明の変圧器によれば、一次巻線が、リレーのコイルのための電流源を提供する。一次巻線と、リレーのコイルとを正しく設計することによって、リレーコイルのインピーダンスを、一次巻線のインピーダンスと比較して無視することができるようになり、これによって、リレーコイルの追加は、電圧源にとって顕著な影響を有さなくなる。
【００１０】
二次巻線における電流が増加すると、一次巻線における電流も増加する。リレーを設計し、リレーのコイルを同調させることによって、第１のヒューズを溶断し得る電流よりも低い電流で、リレーが少なくとも１つの極を投入するようにさせることが可能である。
【００１１】
少なくとも１つの極が投入されると、極の接点が短絡回路を形成し、これによって、二次巻線、測定装置、または二次巻線に接続された負荷をさらに妨げることなく第１のヒューズが溶断する。
【００１２】
第１のヒューズが溶断するとすぐに、二次巻線における電流、ひいては一次巻線における電流がゼロになり（一次巻線の残りの磁化電流は無視することができる）、これによってリレーは、自身の休止位置に戻るように移動する。この場合、接点は、常開である。
【００１３】
本発明による変圧器の好ましい実施形態は、変圧におけるさらに高い精度を目指すために、リレーのコイルに並列に配置された第２のヒューズをさらに含む。
【００１４】
変圧器システムの精度に影響を及ぼし得る、リレーコイルのインピーダンスの両端において起こり得る如何なる電圧降下をも低減するために、コイルに並列に第２のヒューズを配置することができる。結果として、ヒューズを介した並列経路は、コイルの両端における電圧降下を非常に低い値まで減少させる。一次（ＨＶ）電流が（二次側の過負荷に起因して）特定の値を超過すると、この第２のヒューズが溶断し、コイルにＨＶ一次電流が流れるようにし、リレーの接点を閉成させる。二次巻線における電流に基づいて、第２のヒューズが溶断した後にリレーのコイルが励磁され、その結果、第１のヒューズが溶断し、したがって、変圧器を再び使用する際には、第１のヒューズと第２のヒューズの両方を交換する必要がある。
【００１５】
本発明による変圧器のさらなる実施形態では、リレーのコイルは、一方の端部が接地するように電気的に配置されており、かつ他方の端部が一次巻線に電気的に配置されている。
【００１６】
好ましくは、二次巻線の一方の端部は、接地するように電気的に配置されており、
二次巻線の他方の端部は、第１のヒューズに電気的に配置されている。
【００１７】
本発明による変圧器のさらに好ましい実施形態は、第１のヒューズとリレーの少なくとも１つの極との間に直列に配置されたインピーダンス（例えば抵抗器）をさらに含む。
【００１８】
極が投入され、接点が閉成されて第１のヒューズを短絡させると、短絡回路における電流が非常に高くなり、これによってリレーの接点が損傷する。短絡経路に直列にインピーダンス（抵抗器）を設けることによって、短絡電流が制限されるが、それでもなお、この短絡電流は、第１のヒューズを所望の時間内で溶断させるために十分に高いものである。
【００１９】
本発明の上記の特徴および他の特徴を、添付の図面と併せて説明する。
【図面の簡単な説明】
【００２０】
【図１】本発明による変圧器の第１の実施形態の電気回路図である。
【図２】本発明による変圧器の第２の実施形態の電気回路図である。
【発明を実施するための形態】
【００２１】
図１には、本発明による変圧器の第１の実施形態１が示されている。変圧器１は、一次巻線２および二次巻線３を有し、これらは電磁誘導によって相互に結合されている。
【００２２】
変圧器１にはさらにリレー４が設けられており、このリレー４は、コイル５と、接点７および８を有する極６と、を含む。回路が作動されるまで開成されており、リレー４が作動されると接点７と８との間に電気的な接続が形成されることによって回路が閉成されるという意味で、接点７および８は常開（ノーマルオープン）である。コイル５は、一次巻線２に直列に配置されており、この組み合わせに高電圧源９が供給されている。
【００２３】
測定装置１０は、二次回路における電圧を監視するために、ヒューズ１１を介して二次巻線３に電気的に接続されている。
【００２４】
接点８は、ヒューズ１１と測定装置１０との間に電気的に接続されており、したがって、接点７および８が閉成されるとヒューズ１１を介して短絡回路が形成される。
【００２５】
例えば負荷１２が、短絡、装置の追加、または高オーム抵抗の結果として二次巻線から過多の電流を引き込んだ場合には、一次巻線における電流が増加し、リレー４のコイル５の励磁を引き起こす。コイル５が励磁されると、極６が投入されて接点７および８が閉成され、これによって二次回路におけるヒューズ１１が溶断し、二次巻線３に対する潜在的な損傷が防止される。
【００２６】
例えばリレー４は、低電圧リレー（例えば１２，２４，または４８Ｖ）であり、このような低電圧リレーは、極６を投入して接点７および８を閉成するために約４０〜１００ｍＡの電流を必要とするであろう。このような低電圧リレー４を用いた場合には、変圧器１の一次巻線２をリレー４のコイル５のための電流源と見なすことができる。コイル５のインピーダンスは、一次巻線２のインピーダンスと比較して無視することができるだろう。
【００２７】
精度に対して過度な影響を創出しないようにするために、リレー４の定格電圧をできるだけ低くするべきである。例えば、測定装置１０は、ほんの数ＶＡの負荷しかもたらさないので、変圧器１の５７Ｖの公称二次電圧では、この結果、約４０ｍＡの二次電流しか生じない。
【００２８】
一次回路において結果的に生じる電流は、中高電圧電源９の場合には、典型的に１００分の１から２００分の１になる。測定装置１０および負荷１２による総負荷が１５ＶＡであると仮定すると、一次電流は１０ｍＡ未満となる。二次回路における過負荷が４Ａ（２３０ＶＡ）と示されている場合には、一次回路の電流は、約２０〜４０ｍＡになり、この約２０〜４０ｍＡにおいてリレー４が励磁されるべきであり、リレー４は、自身の極６を投入して自身の接点７および８を閉成すべきである。
【００２９】
図２は、本発明による変圧器の第２の実施形態２０を示す。この第２の実施形態は、第１の実施形態１に類似しており、同様の部分は、同じ参照符号で示されている。
【００３０】
変圧器２０の精度を阻害しないようにするために、（例えば２０ｍＡの）第２のヒューズ２１がリレー４のコイル５に並列に配置されている。これによって、コイル５のインピーダンスの影響が低減されるか、またはそれどころか除去され、これによって、リレー４による変圧器２０の精度に対する阻害が低減されるか、またはなくなる。
【００３１】
もちろん、第２のヒューズ２１の代わりに、電磁適合性（ＥＭＣ）を増加させるためのＲＣスナバ、または単に、感度を低下させるべき場合に連続的な迂回経路を設けるための並列の抵抗器、または過電圧等に反応するためのサージアレスタ（ＺｎＯまたはスパークチューブ）のような、コイル５に並列な他の装置を設けることも可能であろう。
【００３２】
変圧器２０はさらに、第１のヒューズ１１とリレー４の極６との間に直列に配置された抵抗器２２を有する。この抵抗器２２は、接点７および８の閉成時に、接点７または８を損傷するほどに短絡電流が高くなり過ぎないことを保証する。
【００３３】
抵抗器２２を用いない場合であって、かつ公称二次電圧が５７Ｖである場合には、ヒューズ１１が溶断する前に、短絡回路における電流が７５Ａにも達することがある。
【００３４】
例えば、抵抗器２２によって短絡電流を約２０Ａに制限した場合、（典型的には規定された６Ａの公称連続電流の）ヒューズ１１は、依然として約０．４秒で溶断する。これは、概して十分に速いものであり、その一方で、リレー４の接点７および８は今や保護されている。
【図１】
2019110294.tif 000003
【図２】
2019110294.tif 000004
【外国語明細書】
2019110294.tif 000005
2019110294.tif 000006
2019110294.tif 000007
2019110294.tif 000008
2019110294.tif 000009
2019110294.tif 000010
2019110294.tif 000011
2019110294.tif 000012
2019110294.tif 000013
2019110294.tif 000014
2019110294.tif 000015